(57)【要約】      （修正有）【課題】データの内容が変化してもマーカーを使い回して簡単に再使用する。【解決手段】データＢ１の周囲に位置決め手段２でマーカー１を重ねて配置し、これらデータＢ１及びマーカー１を一緒にカメラで撮影することにより、カメラなどに設定された専用ソフトにてマーカー１で囲まれたデータ領域Ｂ２と、それ以外の外周領域Ｂ３が識別され、データ領域Ｂ２のみを切り出すとともに、カメラによる撮影時に生じた画像の傾きが自動補正されてデータ化される。【選択図】図１
2013116592.tif 000002
【特許請求の範囲】
【請求項１】
書面に描かれた手書きメモ、図形、印刷された文章・写真を含むデータをカメラで撮影し、その撮影時に生じた画像の傾きを自動補正してデータ化するシステムに用いる文房具であって、
前記画像の傾きを補正するために前記書面と別な平面に設けられるマーカーと、
前記書面に対して前記マーカーを前記データの周囲に重なるように配置する位置決め手段とを備えたことを特徴とする文房具。
【請求項２】
前記位置決め手段が透明シートであり、該透明シートの表面に前記マーカーを付設したことを特徴とする請求項１記載の文房具。
【請求項３】
前記位置決め手段が複数のクリップであり、前記クリップの表面に前記マーカーをそれぞれ付設したことを特徴とする請求項１記載の文房具。
【請求項４】
前記位置決め手段が複数の付箋であり、前記付箋の表面に前記マーカーを付設したことを特徴とする請求項１記載の文房具。
【発明の詳細な説明】
【技術分野】
【０００１】
本発明は、書面Ｂに描かれた例えば手書きメモ、図形、印刷された文章・写真などからなるデータをカメラで撮影し、その撮影時に生じた画像の傾きを自動補正してデータ化するシステムに用いる文房具に関する。
【背景技術】
【０００２】
従来、メモのデータ化システムとして、手書きメモや手書きノートの内容をスマートフォンの内蔵カメラで撮影することにより、ノート面の四隅などに印刷されたマーク（マーカー）を読み取り自動でトリミングして、その画像の傾きや歪み、サイズなどの自動補正が行われて保存可能にデジタル化するものがある（例えば、非特許文献１、非特許文献２参照）。
【先行技術文献】
【特許文献】
【０００３】
【非特許文献１】株式会社キングジム、新商品、［online］、2011/05/10、［平成23年08月30日検索］、インターネット＜ＵＲＬ：http://www.kingjim.co.jp/news/release/detail/_id_16462＞，＜ＵＲＬ：http://www.kingjim.co.jp/sp/shotnote/＞、
【非特許文献２】コクヨＳ＆Ｔ株式会社、ニュースリリース一覧、［online］、2011/08/08、［平成23年08月30日検索］、インターネット＜ＵＲＬ：http://www.kokuyo.co.jp/press/2011/08/1175.html＞、
【発明の概要】
【発明が解決しようとする課題】
【０００４】
しかし乍ら、このような従来のメモのデータ化システムでは、メモなどを用紙の所定位置に描かれたマークと一緒に撮影するため、データ化する度にマーク付きの専用用紙が必要になり、コストを要するとともに、データ化の後は、マーク付きの専用用紙が必要なくなるから資源の無駄になるという問題があった。
【０００５】
本発明は、このような問題に対処することを課題とするものであり、データの内容が変化してもマーカーを使い回して簡単に再使用することなどを目的とするものである。
【課題を解決するための手段】
【０００６】
このような目的を達成するために本発明は、書面に描かれた手書きメモ、図形、印刷された文章・写真を含むデータをカメラで撮影し、その撮影時に生じた画像の傾きを自動補正してデータ化するシステムに用いる文房具であって、前記画像の傾きを補正するために前記書面と別な平面に設けられるマーカーと、前記書面に対して前記マーカーを前記データの周囲に重なるように配置する位置決め手段とを備えたことを特徴とする。
【発明の効果】
【０００７】
前述した特徴を有する本発明は、データの周囲に位置決め手段でマーカーを重ねて配置し、これらデータ及びマーカーを一緒にカメラで撮影することにより、カメラなどに設定された専用ソフトにてマーカーで囲まれたデータ領域と、それ以外の外周領域が識別され、データ領域のみを切り出すとともに、カメラによる撮影時に生じた画像の傾きが自動補正されてデータ化されるので、データの内容が変化してもマーカーを使い回して簡単に再使用することができる。
その結果、データ化する度にマーク付きの専用用紙が必要なる従来のものに比べ、データ化する度にマーク付きの専用用紙が要らず、コストの低減化が図れて経済的であるとともに、データ化後もマーク付きの専用用紙が無駄にならず、資源の有効利用ができる。
【図面の簡単な説明】
【０００８】
【図１】本発明の実施形態に係る文房具を示す斜視図である。
【図２】本発明の他の実施形態に係る文房具を示す斜視図である。
【図３】本発明の他の実施形態に係る文房具を示す斜視図である。
【発明を実施するための形態】
【０００９】
以下、本発明の実施形態を図面に基づいて詳細に説明する。
本発明の実施形態に係る文房具Ａは、書面Ｂに描かれた例えば手書きメモ、図形、印刷された文章・写真などからなるデータＢ１をカメラ（図示しない）で撮影し、その撮影時に生じた画像の傾きや歪みなどを自動補正してデータ化するシステムに用いるものである。
詳しく説明すると、文房具Ａは、図１〜図３に示すように、前記画像の傾きなどを補正するために書面Ｂと別な平面に設けられるマーカー１と、書面Ｂに対してマーカー１がデータＢ１の周囲に重なるように配置するための位置決め手段２とを備えている。
【００１０】
マーカー１は、書面Ｂに描かれた手書きメモや図形などからなるデータＢ１を囲むように設けられる目印である。データＢ１の周囲にマーカー１を配置し、これらデータＢ１及びマーカー１を一緒にカメラで撮影することにより、カメラなどに設定された専用ソフトにてマーカー１で囲まれたデータ領域Ｂ２と、それ以外の余白などからなる外周領域Ｂ３が識別され、データ領域Ｂ２のみを切り出すとともに、カメラによる撮影時に生じた画像の傾きや歪みなどを自動補正してデータ化するように構成している。
【００１１】
マーカー１の具体例としては、データＢ１を囲む矩形領域の四隅に対し、四つのマーカー１をそれぞれ配置することが好ましい。
図１〜図３に示される例では、各マーカー１の形状を矩形とし、その内部が塗りつぶされていない中抜き状態に形成している。
また、その他の例として図示しないが、マーカー１の形状を塗りつぶした矩形に形成したり、マーカー１の外形状を例えば略Ｌ字形や直角三角形や五角形などの矩形以外の形状にしたり、これら複数の形状を組み合わせることも可能である。
さらに、データＢ１を囲む矩形領域の四隅以外にも必要に応じてマーカー１を配置したり、データＢ１を囲む矩形領域に沿って額縁状のマーカー１を配置したり、することも可能である。
【００１２】
位置決め手段２は、手書きメモや図形などからなるデータＢ１が描かれた書面Ｂに対してマーカー１を所定位置に仮止めするものである。
位置決め手段２の具体例としては、例えば一枚の透明樹脂製シートやクリアファイルなどからなる透明シート、複数のクリップ、裏面に接着面や粘着面を有する複数の付箋、複数の文鎮などがあり、その表面にはマーカー１が付設されている。
位置決め手段２が、図１に示されるような透明シート２ａである場合には、データＢ１が描かれた書面Ｂの上に透明シート２ａを重ねて載置することにより、透明シート２ａを透過したデータＢ１の周囲にマーカー１が位置決めされる。
位置決め手段２が、図２に示されるような複数のクリップ２ｂである場合には、データＢ１が描かれた書面Ｂの外周に複数のクリップ２ｂをそれぞれ挟んで仮固定することにより、データＢ１の周囲にマーカー１が位置決めされる。
位置決め手段２が、図３に示されるような複数の付箋２ｃである場合には、データＢ１が描かれた書面Ｂに対して複数の付箋２ｃを接着することにより、データＢ１の周囲にマーカー１が位置決めされる。
【００１３】
そして、書面Ｂに描かれたデータＢ１を撮影するカメラとしては、例えばスマートフォンの内蔵カメラや、パーソナルコンピュータに画像データを送信可能なカメラなど、カメラの撮影時に生じた画像の傾きや歪みなどを自動補正するための専用ソフト（アプリケーション）が予めインストールされたものを用いる。
【００１４】
このような本発明の実施形態に係る本発明の実施形態に係る文房具Ａによると、データＢ１の周囲に位置決め手段２でマーカー１を重ねて配置し、これらデータＢ１及びマーカー１をスマートフォンの内蔵カメラなどで一緒にカメラで撮影することにより、カメラなどに設定された専用ソフトにてマーカー１で囲まれたデータ領域Ｂ２と、それ以外の外周領域Ｂ３が識別され、データ領域Ｂ２のみを切り出すとともに、カメラによる撮影時に生じた画像の傾きや歪みなどが自動補正されてデータ化される。
したがって、データＢ１の内容が変化してもマーカー１を使い回して再使用することができる。
次に、本発明の各実施例を図面に基づいて説明する。
【実施例１】
【００１５】
この実施例１は、図１に示すように、位置決め手段２が透明シート２ａであり、透明シート２ａとして、透明樹脂製シートを二枚枚重ねてその間に書面Ｂを挟んで使用するクリアファイル（クリアホルダー）が用いられた場合を示すものである。
【００１６】
図１に示される例では、透明シート２ａとなるクリアファイルにおいて一方の透明樹脂製シートの表面のみに複数のマーカー１を印刷などで付設している。
また、その他の例として図示しないが、透明シート２ａとなるクリアファイルにおいて両方の透明樹脂製シートの表面に、複数のマーカー１をそれぞれ印刷などで付設したり、両方の透明樹脂製シートにおいて、複数のマーカー１で囲まれるデータ領域Ｂ２のサイズがそれぞれ大小異なるように付設したりすることも可能である。
【００１７】
このような本発明の実施例１に係る文房具Ａによると、データＢ１が描かれた書面Ｂの上に、マーカー１が付設された透明シート２ａを重ねて載置することにより、透明シート２ａを透過したデータＢ１の周囲にマーカー１が位置決めされる。
したがって、書面ＢのデータＢ１に対してマーカー１を容易に位置合わせすることができる。
その結果、カメラによる撮影準備を素早く行えて使用勝手が良いという利点がある。
【００１８】
特に、透明シート２ａとして、透明樹脂製シートを二枚枚重ねてその間に書面Ｂを挟んで使用するクリアファイルを用いた場合には、マーカー１に対してデータＢ１が描かれた書面Ｂを位置ズレ不能に仮止めされるため、カメラによる撮影中にマーカー１とデータＢ１が位置ズレせず、撮影ミスを減らすことができて、使用勝手の更なる向上が図れるという利点もある。
【実施例２】
【００１９】
この実施例２は、図２に示すように、位置決め手段２が複数のクリップ２ｂであり、各クリップ２ｂとして、金属や合成樹脂などの弾性材料からなる帯板が略コの字形に折曲形成され板状クリップを用いた構成が、図１に示した実施例１とは異なり、それ以外の構成は図１に示した実施例１と同じものである。
【００２０】
図２に示される例では、クリップ２ｂとなる板状クリップの表面に、マーカー１を刻設などで直接的に付設するか、またはマーカー１が印刷されたラベルの貼着などで間接的に付設している。
また、その他の例として図示しないが、クリップ２ｂとして板状クリップに代えて、フック付きクリップなどの構造が異なるものや、マーカー１の印刷ラベルが固着された針金状クリップを用いることも可能である。
【００２１】
このような本発明の実施例２に係る文房具Ａによると、データＢ１が描かれた書面Ｂの外周部位に、マーカー１が付設された複数のクリップ２ｂをそれぞれ挟んで仮固定することにより、データＢ１の周囲にマーカー１が位置決めされる。
したがって、データＢ１の面積に対応してデータ領域Ｂ２を自由に設定することができる。
その結果、データＢ１の面積が小さい場合でも余白を可能な限り縮小してデータ化することができるという利点がある。
【００２２】
特に、図２に示されるように、クリップ２ｂとして板状クリップを用いた場合には、マーカー１を付設するための表面の面積が広く確保されるため、大きなマーカー１を簡単に付設できて便利であるという利点もある。
【実施例３】
【００２３】
この実施例３は、図３に示すように、位置決め手段２が複数の付箋２ｃであり、各付箋２ｃとして、接着テープから切断分離したテープ片を用いた構成が、図１に示した実施例１や図２に示した実施例２とは異なり、それ以外の構成は図１に示した実施例１や図２に示した実施例２と同じものである。
【００２４】
図３に示される例では、付箋２ｃとなる接着テープの表面に複数のマーカー１を所定間隔毎にそれぞれ印刷などで付設し、マーカー１の間に分離用のミシン目を入れている。
また、その他の例として図示しないが、ミシン目入り接着テープに代えて、ミシン目の無い接着テープを、ハサミやカッターなどで分離することも可能である。
【００２５】
このような本発明の実施例３に係る文房具Ａによると、書面ＢのデータＢ１を囲むように、マーカー１が付設された複数の付箋２ｃを、それぞれ接着や粘着などでそれぞれ仮固定することにより、データＢ１の周囲にマーカー１が位置決めされる。
したがって、例えば新聞や雑誌などの印刷物において選択したデータ領域Ｂ２のみを簡単にデータ化することができる。
その結果、素早く且つ容易にスクラップ、すなわち新聞・雑誌記事などを切り抜いてデータ化できるという利点がある。
さらに、データＢ１が描かれた書面Ｂに対してマーカー１を位置ズレ不能に貼り付けることができるため、カメラによる撮影中にマーカー１とデータＢ１が位置ズレせず、撮影ミスを減らすことができて、使用勝手の更なる向上が図れるという利点がある。
【００２６】
特に、図３に示されるように、付箋２ｃとしてミシン目入り接着テープを用いた場合には、多数の付箋２ｃが分離可能に備えられるため、マーカー１の管理が容易であるとともに、コストの低減化が図れて経済的であるという利点がある。
【００２７】
なお、前示実施例では、位置決め手段２が透明シート２ａや複数のクリップ２ｂや複数の付箋２ｃである場合を示したが、これに限定されず、その他に位置決め手段２として、表面にマーカー１が付設された複数の文鎮などを、データＢ１が描かれた書面Ｂの上に載置することにより、データＢ１の周囲にマーカー１が位置決めされるようにしても良い。
この場合にも、図２に示した実施例２と同様な作用効果が得られる。
さらに、必要に応じて、マーカー１とは別に、複数種類のタグ設定用マークを位置決め手段２で書面Ｂの所定位置に対して配置することにより、データ化された画像の検索や管理を容易にすることも可能である。
【符号の説明】
【００２８】
１  マーカー                              ２  位置決め手段
２ａ  透明シート                          ２ｂ  クリップ
２ｃ  付箋                                Ｂ  書面
Ｂ１  データ
【図１】
2013116592.tif 000003
【図２】
2013116592.tif 000004
【図３】
2013116592.tif 000005